(57)【要約】      （修正有）【課題】多くの機能を有し、長寿命の子供用家具を提供する。【解決手段】家具は、２つの側板１１０、１２０と、第１の板材１３０と、第２の板材１４０と、第３の板材１５０と、を備える。側板１１０は、第１の溝１１２と、第２の溝１１３と、第１の弧状外縁と、第１のスロット１１５と、を含む。第１のスロットが第１の弧状外縁に近接する。第１のスロットが第１の方向ｄ１に沿って延伸する。第２の方向ｄ２において、第１のスロットが第１の弧状外縁と第２の溝との間に位置する。第１の方向が第２の方向に垂直である。第１の板材が２つの第３の溝１３１、１３２を有する。この２つの第３の溝は各々２つの側板の２つの第１の溝に挿入される。第２の板材は、２つの第４の溝１４１、１４２を有する。２つの第４の溝は各々２つの側板の２つの第２の溝に挿入される。第３の板材は、互いに対向する第１のラグ及び第２のラグを有する。第１のラグ及び第２のラグは、各々２つの側板の２つの第１のスロットに挿入される。【選択図】図３
0003229185.tif 000002
【実用新案登録請求の範囲】
【請求項１】
各々第１の側と、前記第１の側に形成される第１の溝と、前記第１の側に形成される第２の溝と、前記第１の側に対応する第２の側と、前記第２の側に形成される第１の弧状外縁と、前記第１の弧状外縁に近接する第１のスロットと、を含み、前記第１のスロットが第１の方向に沿って延伸し、且つ第２の方向において前記第１のスロットが前記第１の弧状外縁と前記第２の溝との間に位置し、且つ前記第１の方向が前記第２の方向に垂直である２つの側板と、
前記２つの側板の前記２つの第１の溝に好適に挿入される２つの第３の溝を有する第１の板材と、
それぞれ対向する両側に位置する２つの第４の溝及び第２の弧状外縁を有し、前記２つの第４の溝は各々前記２つの側板の前記２つの第２の溝に好適に挿入される第２の板材と、
各々前記２つの側板の前記２つの第１のスロットに好適に挿入される、互いに対向する第１のラグ及び第２のラグを有する第３の板材と、
を備える家具。
【請求項２】
前記側板の各々は、
前記第１の側及び前記第２の側に接続される第３の側と、
前記第３の側に形成される複数の突出構造と、
を含む請求項１に記載の家具。
【請求項３】
前記側板の各々は、
前記第１の側及び前記第２の側に接続され、前記第３の側に対向する第４の側と、
前記第４の側に形成される第３の弧状外縁と、
を含み、
前記第２の方向において、前記第３の側の長さは、前記第４の側の長さよりも長い請求項２に記載の家具。
【請求項４】
２つの接続端を有する接続棒を更に備え、
前記側板の各々は、前記第１の方向において前記第１の溝と前記第２の溝との間に位置する第２のスロットを含み、且つ前記第２の方向において、前記第２のスロット及び前記第１のスロットはそれぞれ前記側板の対向する両側に位置し、且つ前記第２のスロットには前記２つの接続端の一方が好適に挿入される請求項１に記載の家具。
【請求項５】
前記側板の各々は、前記第１の側に形成される第５の溝と、前記第１の側に形成される第６の溝と、を含み、前記第１の方向において、前記第５の溝が前記第６の溝と前記第１の溝との間に位置し、前記第６の溝が前記第２の溝と前記第５の溝との間に位置し、且つ前記第５の溝が前記第２の方向に沿って延伸し、前記第６の溝が前記第１の方向に沿って延伸し、
且つ、
各々前記２つの側板の前記２つの第５の溝に好適に挿入される２つの第７の溝を有する第４の板材と、
各々前記２つの側板の前記２つの第２の溝に好適に挿入される２つの第８の溝を有する第５の板材と、
を備え、
前記第１の板材の前記２つの第３の溝は各々前記２つの側板の前記２つの第６の溝に好適に挿入され、前記第５の溝の長さと前記第７の溝の長さとの合計は前記第４の板材の前記第７の溝の延伸方向での長さよりも大きく、前記２つの第８の溝の底部から前記第５の板材の対向側までの長さは前記第４の板材の前記２つの第７の溝の延伸方向に平行である方向での長さよりも小さい請求項１に記載の家具。
【請求項６】
２つの接続端を有する接続棒を更に備え、
前記第１のスロットは少なくとも１つの円孔部を含み、前記円孔部に位置する前記第１のスロットは円弧内面を有し、且つ前記円孔部には前記２つの接続端の一方が好適に挿入される請求項５に記載の家具。
【請求項７】
前記第５の板材は第４の弧状外縁を有し、且つ前記２つの第８の溝が前記第４の弧状外縁に形成される請求項５に記載の家具。
【請求項８】
２つの第７の溝を有する第４の板材と、
各々前記２つの第７の溝の一方及び前記２つの第３の溝の一方に好適に挿入される２つの第８の溝を有する第５の板材と、
を備え、
前記第２の板材の前記２つの第４の溝は各々前記２つの第７の溝の他方及び前記２つの第３の溝の他方に好適に挿入され、且つ前記第３の板材は各々前記第１のラグ及び前記第２のラグに接続される第３のラグ及び第４のラグを更に含み、前記第３のラグ及び前記第４のラグは各々前記２つの側板の前記２つの第２の溝に好適に挿入される請求項１に記載の家具。
【請求項９】
２つの第９の溝を有し、且つ前記２つの側板の前記２つの第１のスロットに好適に挿入され、且つ前記２つの第１のスロットの内縁は各々前記２つの第９の溝に好適に挿入される第６の板材を更に備える請求項８に記載の家具。
【請求項１０】
前記側板の各々は、
前記第２の溝に近接する開孔を含む請求項１に記載の家具。
【考案の詳細な説明】
【技術分野】
【０００１】
本考案は、家具に関し、特に、子供用家具に関する。
【背景技術】
【０００２】
嬰児が４〜７カ月に成長すると、次第に座れるようになり、離乳食品を食べさせる必要がある。適当な子供食事用椅子は、両親が御飯を安全に食べさせるための、嬰児の成長中の重要な家具の一つである。独立して歩ける子供に成長すると、勉強用の子供用机や椅子及び娯楽のための子供用ロッキングチェアも成長中の重要な家具の一つである。
【０００３】
しかしながら、嬰児の成長速度が速いので、一定のサイズの子供食事用椅子、子供用机や椅子及びロッキングチェアは、常に半年ないし二年後に廃れ、ゴミを大量に発生させる。そのため、より多くの機能を有し且つより長寿命の子供用家具を如何に制作するかは、当業者の達成しようとする目的の一つである。
【考案の概要】
【考案が解決しようとする課題】
【０００４】
本考案の提供する家具は、異なる形態を持ち、多様の機能を提供することができる。
【課題を解決するための手段】
【０００５】
本考案の一実施例による家具は、２つの側板と、第１の板材と、第２の板材と、第３の板材と、を備える。側板の各々は、第１の側と、第１の溝と、第２の溝と、第２の側と、第１の弧状外縁と、第１のスロットと、を含む。第１の溝及び第２の溝が第１の側に形成される。第１の側が第２の側に対応する。第１の弧状外縁が第２の側に形成される。第１のスロットが第１の弧状外縁に近接する。第１のスロットが第１の方向に沿って延伸する。第２の方向において、第１のスロットが第１の弧状外縁と第２の溝との間に位置する。第１の方向が第２の方向に垂直である。第１の板材が２つの第３の溝を有する。この２つの第３の溝は各々２つの側板の２つの第１の溝に好適に挿入される。第２の板材は、２つの第４の溝及び第２の弧状外縁を有する。第２の弧状外縁及び２つの第４の溝がそれぞれ第２の板材の対向する両側に位置する。２つの第４の溝は各々２つの側板の２つの第２の溝に好適に挿入される。第３の板材は、互いに対向する第１のラグ及び第２のラグを有する。第１のラグ及び第２のラグは、各々２つの側板の２つの第１のスロットに好適に挿入される。
【考案の効果】
【０００６】
上記から分かるように、本考案の実施例に係る家具は、側板と複数の板材との結合によって多様の機能を提供することができる。
【図面の簡単な説明】
【０００７】
【図１】本考案の一実施例による家具の斜視模式図である。
【図２】本考案の一実施例による側板の平面模式図である。
【図３】本考案の一実施例による家具の斜視分解模式図である。
【図４】図３における家具を切断線４-４に沿って示す断面模式図である。
【図５】本考案の別の実施例に係る家具の斜視分解模式図である。
【図６】本考案の別の実施例に係る家具の接続棒の斜視模式図である。
【図７】本考案の一実施例による家具の別の斜視模式図である。
【図８】本考案の一実施例による家具の別の斜視分解模式図である。
【図９】図８における家具を切断線９-９に沿って示す断面模式図である。
【図１０】本考案のまた１つの実施例の家具の斜視模式図である。
【図１１】本考案のまた１つの実施例の家具の斜視分解模式図である。
【図１２】図１１における家具を切断線１２-１２に沿って示す断面模式図である。
【考案を実施するための形態】
【０００８】
本考案の実施例に係る家具は、多様の形態を有し、異なる機能を提供することができる。
【０００９】
図１は、本考案の一実施例による家具の斜視模式図である。図１を参照すると、本実施例において、家具１００は、側板１１０、側板１２０、第１の板材１３０、第２の板材１４０、第３の板材１５０を備える。
【００１０】
本実施例の側板１１０及び側板１２０は、形状が同じであり、距離Ｇだけ離間し、且つ側板１１０の側面１１１と側板１２０の側面１２１とが互いに平行である。第１の板材１３０、第２の板材１４０及び第３の板材１５０は、同時にこの２つの側板１１０、１２０に結合されてよい。
【００１１】
側板１１０を例とする。図２は、本考案の一実施例による側板１１０の平面模式図である。側板１１０は、第１の側１１０Ａ及び第２の側１１０Ｂを含む。第１の側１１０Ａは第２の側１１０Ｂに対応し、それらの位置が互いに反対である。
【００１２】
側板１１０の第１の溝１１２及び第２の溝１１３が第１の側１１０Ａに形成される。第１の弧状外縁１１４が第２の側１１０Ｂに形成される。側板１１０の第１のスロット１１５が側板１１０の第１の弧状外縁１１４に近接する。
【００１３】
図２を参照すると、第１のスロット１１５が第１の方向ｄ１に沿って延伸する。第２の方向ｄ２において、第１のスロット１１５が第１の弧状外縁１１４と第２の溝１１３との間に位置する。第１の方向ｄ１が第２の方向ｄ２に垂直である。
【００１４】
図３は、本考案の一実施例による家具の斜視分解模式図である。図３を参照すると、第１の板材１３０は、各々第１の溝１１２及び第１の溝１２２に好適に挿入される第３の溝１３１及び第３の溝１３２を有する。
【００１５】
第２の板材１４０は、第４の溝１４１、第４の溝１４２及び第２の弧状外縁１４３を有する。第２の弧状外縁１４３及び２つの第４の溝１４１、１４２がそれぞれ第２の板材１４０の対向する両側に位置する。第４の溝１４１及び第４の溝１４２は、各々第２の溝１１３及び第２の溝１２３に好適に挿入される。
【００１６】
図４は、図３における切断線４-４に沿って示す断面模式図である。図４を参照すると、第３の板材１５０は、互いに対向する第１のラグ１５１及び第２のラグ１５２を有する。第１のラグ１５１及び第２のラグ１５２は、各々第１のスロット１１５及び第１のスロット１２５に好適に挿入される。
【００１７】
図１を参照すると、第３の板材１５０は、側板１１０及び側板１２０に結合される場合、その位置が第１の弧状外縁１１４及び第１の弧状外縁１２４に近接する。そのため、第３の板材１５０は、子供に乗らせながら揺れ動くことができる。それと同時に、第１の板材１３０及び第２の板材１４０は、両側から子供を保護することができる。
【００１８】
図５は、本考案の別の実施例に係る家具の斜視分解模式図である。図５を参照すると、家具２００は、上記実施例の家具１００と類似であり、同じ及び類似な部材については、同じ符号で示し、ここで繰り返して説明しない。
【００１９】
家具２００は、側板２１０及び側板２２０を備える。側板２１０を例として、側板２１０は、上記実施例の側板１１０に類似するが、ただし、第２のスロット１１６を更に含む。第２のスロット１１６は、第１の方向ｄ１において第１の溝１１２と第２の溝１１３との間に位置する。第２の方向ｄ２において、第２のスロット１１６及び第１のスロット１１５は、それぞれ側板１１０の対向する両側に近接する。
【００２０】
家具２００は、接続棒１６０を備える。図６は、本考案の別の実施例に係る接続棒の斜視模式図である。図６を参照すると、本実施例において、接続棒１６０は、接続端１６１及び接続端１６２を有する。
【００２１】
例としては、接続棒１６０は、凸状リング１６３、凸状リング１６４及び接触部１６５を有する。凸状リング１６３は接続端１６１と接触部１６５との間で当接又は阻止構造とされるが、凸状リング１６４は接続端１６２と接触部１６５との間で当接又は阻止構造とされる。
【００２２】
図５を参照すると、第２のスロット１１６には接続端１６１が好適に挿入され、且つ第２のスロット１２６には接続端１６２（図６参照）が好適に挿入される。そのため、接続棒１６０の接触部１６５は、子供の手すりとされることができる。
【００２３】
図２に併せて参照すると、側板１１０を例として、側板１１０は、第３の側１１０Ｃ、及び第３の側１１０Ｃに形成される複数の突出構造１１７を含む。そのため、家具１００は、直立することができる。
【００２４】
図７は、本考案の一実施例による家具１００の別の斜視模式図である。図７を参照すると、本実施例において、家具１００は、第４の板材１７０及び第５の板材１８０を更に備えてよい。第５の板材１８０は、第１の板材１３０及び第４の板材１７０に結合されることができる。第２の板材１４０も、第１の板材１３０及び第４の板材１７０に結合されることができる。
【００２５】
図８は、本考案の一実施例による家具１００の別の斜視分解模式図である。図８を参照すると、第４の板材１７０は、第７の溝１７１及び第７の溝１７２を有する。第５の板材１８０は、第８の溝１８１及び第８の溝１８２を有する。第８の溝１８１及び第８の溝１８２は、各々第７の溝１７１及び第３の溝１３１に好適に挿入される。第４の溝１４１及び第４の溝１４２は、各々第７の溝１７２及び第３の溝１３２に好適に挿入される。
【００２６】
第３の板材１５０は、第３のラグ１５３及び第４のラグ１５４を更に含む。第３のラグ１５３及び第４のラグ１５４は、各々第２の溝１１３及び第２の溝１２３に好適に挿入される。
【００２７】
側板１１０は開孔１１２０を含み、側板１２０は開孔１２２０を含む。開孔１１２０が第２の溝１１３に近接し、開孔１２２０が第２の溝１２３に近接する。
【００２８】
家具１００は、第６の板材１９０を更に備える。図９は、図８における切断線９-９に沿って示す断面模式図である。図９を参照すると、第６の板材１９０は、第９の溝１９１及び第９の溝１９２を有する。第６の板材１９０は、第１のスロット１１５及び第１のスロット１２５に好適に挿入される。第１のスロット１１５及び第１のスロット１２５の内縁には、各々第９の溝１９１及び第９の溝１９２が好適に挿入される。
【００２９】
一方、図２を参照すると、側板１１０は、第４の側１１０Ｄ及び第３の弧状外縁１１８を含む。第４の側１１０Ｄは、第３の側１１０Ｃに対向する。
【００３０】
第３の弧状外縁１１８が第４の側１１０Ｄに形成される。第２の方向ｄ２において、第３の側１１０Ｃの長さＬ１は、第４の側１１０Ｄの長さＬ２よりも長い。図７に併せて参照すると、側板１１０に結合される第３の板材１５０は、適当なテーブル面とされることができる。
【００３１】
図１０は、本考案のまた１つの実施例の家具の斜視模式図である。図１０を参照すると、家具３００は、上記実施例の家具１００に類似し、同じ及び類似な部材については、同じ符号で示し、ここで繰り返して説明しない。
【００３２】
図１１は、本考案のまた１つの実施例の家具の斜視分解模式図である。図１１を参照すると、家具３００は、側板３１０及び側板３２０を備える。側板３１０は、第５の溝１１９及び第６の溝１１１０を含む。側板３２０は、第５の溝１２９及び第６の溝１２１０を含む。側板３１０を例として、第５の溝１１９及び第６の溝１１１０が第１の側３１０Ａに形成される。第１の方向ｄ１において、第５の溝１１９が第６の溝１１１０と第１の溝１１２との間に位置し、且つ第６の溝１１１０が第２の溝１１３と第５の溝１１９との間に位置する。
【００３３】
第５の溝１１９が第２の方向ｄ２に沿って延伸する。第６の溝１１１０が第１の方向ｄ１に沿って延伸する。第７の溝１７１及び第７の溝１７２は、各々第５の溝１１９及び第５の溝１２９に好適に挿入される。
【００３４】
第８の溝１８１及び第８の溝１８２は、各々第２の溝１１３及び第２の溝１２３に好適に挿入される。第３の溝１３１及び第３の溝１３２は、各々第６の溝１１１０及び第６の溝１２１０に好適に挿入される。
【００３５】
具体的には、側板３１０を例として、第５の溝１１９の長さＬ３と第７の溝１７１の長さＬ４との合計は、第４の板材１７０の第７の溝１７１の延伸方向での長さＬ５よりも大きい。そのため、第１の板材１３０を通過させるための十分な空間がある。第４の板材１７０は、乗らせることができ、第１の板材１３０は、第４の板材１７０の移動を更に限制することができる。
【００３６】
第８の溝１８１の延伸方向に平行である方向において、第８の溝１８１の底部から第５の板材１８０の対向側１８４までの長さＬ６は、第４の板材１７０の第７の溝１７１の延伸方向に平行である方向での長さＬ５よりも小さい。そのため、第５の板材１８０と第１の板材１３０との間に着座空間が保留され、且つ第５の板材１８０は適当なテーブルとすることができ、且つ第８の溝１８１及び第８の溝１８２の何れも第３の弧状外縁１８３に形成される。
【００３７】
図１２は、図１１における切断線１２-１２に沿って示す断面模式図である。第１のスロット１１５は、円孔部１１５Ａ及び円孔部１１５Ｂを含む。第１のスロット１２５は、円孔部１２５Ａ及び円孔部１２５Ｂを含む。図１１に併せて参照すると、第１のスロット１１５を例として、円孔部１１５Ａ及び円孔部１１５Ｂに位置する第１のスロット１１５は、各々円弧内面を有する。円孔部１１５Ｂには接続端１６１が好適に挿入され、円孔部１２５Ｂには接続端１６２が好適に挿入される。
【００３８】
そのため、接続棒１６０は、側板３１０と側板３２０との間の構造強度を更に高めることができる。
【００３９】
以上をまとめると、本考案の実施例に係る家具は、側板と複数の板材との結合によって多様の機能を提供することができ、ロッキングチェア、食事用椅子又は机や椅子の機能を提供し、家具の使用寿命を延長することができる。
【符号の説明】
【００４０】
ｄ１  第１の方向、ｄ２  第２の方向、Ｇ  距離、Ｌ１〜Ｌ６  長さ、４-４、９-９、１２-１２  切断線、１００、２００、３００  家具、１１０、１２０、２１０、２２０、３１０、３２０  側板、１１０Ａ、３１０Ａ  第１の側、１１０Ｂ  第２の側、１１０Ｃ  第３の側、１１０Ｄ  第４の側、１１１、１２１  側面、１１２、１２２  第１の溝、１１３、１２３  第２の溝、１１４、１２４  第１の弧状外縁、１１５、１２５  第１のスロット、１１５Ａ、１１５Ｂ  円孔部、１１６、１２６  第２のスロット、１１７  突出構造、１１８  第３の弧状外縁、１１９、１２９  第５の溝、１１１０、１２１０  第６の溝、１１２０、１２２０  開孔、１２５Ａ、１２５Ｂ  円孔部、１３０  第１の板材、１３１、１３２  第３の溝、１４０  第２の板材、１４１、１４２  第４の溝、１５０  第３の板材、１５１  第１のラグ、１５２  第２のラグ、１６０  接続棒、１６１、１６２  接続端、１６３、１６４  凸状リング、１６５  接触部、１７０  第４の板材、１７１、１７２  第７の溝、１８０  第５の板材、１８１、１８２  第８の溝、１８３  第３の弧状外縁、１８４  対向側、１９０  第６の板材。
【図１】
0003229185.tif 000003
【図２】
0003229185.tif 000004
【図３】
0003229185.tif 000005
【図４】
0003229185.tif 000006
【図５】
0003229185.tif 000007
【図６】
0003229185.tif 000008
【図７】
0003229185.tif 000009
【図８】
0003229185.tif 000010
【図９】
0003229185.tif 000011
【図１０】
0003229185.tif 000012
【図１１】
0003229185.tif 000013
【図１２】
0003229185.tif 000014
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
各々第１の側と、前記第１の側に形成される第１の溝と、前記第１の側に形成される第２の溝と、前記第１の側に対応する第２の側と、前記第２の側に形成される第１の弧状外縁と、前記第１の弧状外縁に近接する第１のスロットと、を含み、前記第１のスロットが第１の方向に沿って延伸し、且つ第２の方向において前記第１のスロットが前記第１の弧状外縁と前記第２の溝との間に位置し、且つ前記第１の方向が前記第２の方向に垂直である２つの側板と、
前記２つの側板の前記２つの第１の溝に挿入される２つの第３の溝を有する第１の板材と、
それぞれ対向する両側に位置する２つの第４の溝及び第２の弧状外縁を有し、前記２つの第４の溝は各々前記２つの側板の前記２つの第２の溝に挿入される第２の板材と、
各々前記２つの側板の前記２つの第１のスロットに挿入される、互いに対向する第１のラグ及び第２のラグを有する第３の板材と、
を備える家具。
【請求項２】
前記側板の各々は、
前記第１の側及び前記第２の側に接続される第３の側と、
前記第３の側に形成される複数の突出構造と、
を含む請求項１に記載の家具。
【請求項３】
前記側板の各々は、
前記第１の側及び前記第２の側に接続され、前記第３の側に対向する第４の側と、
前記第４の側に形成される第３の弧状外縁と、
を含み、
前記第２の方向において、前記第３の側の長さは、前記第４の側の長さよりも長い請求項２に記載の家具。
【請求項４】
２つの接続端を有する接続棒を更に備え、
前記側板の各々は、前記第１の方向において前記第１の溝と前記第２の溝との間に位置する第２のスロットを含み、且つ前記第２の方向において、前記第２のスロット及び前記第１のスロットはそれぞれ前記側板の対向する両側に位置し、且つ前記第２のスロットには前記２つの接続端の一方が挿入される請求項１に記載の家具。
【請求項５】
前記側板の各々は、前記第１の側に形成される第５の溝と、前記第１の側に形成される第６の溝と、を含み、前記第１の方向において、前記第５の溝が前記第６の溝と前記第１の溝との間に位置し、前記第６の溝が前記第２の溝と前記第５の溝との間に位置し、且つ前記第５の溝が前記第２の方向に沿って延伸し、前記第６の溝が前記第１の方向に沿って延伸し、
且つ、
各々前記２つの側板の前記２つの第５の溝に挿入される２つの第７の溝を有する第４の板材と、
各々前記２つの側板の前記２つの第２の溝に挿入される２つの第８の溝を有する第５の板材と、
を備え、
前記第１の板材の前記２つの第３の溝は各々前記２つの側板の前記２つの第６の溝に挿入され、前記第５の溝の長さと前記第７の溝の長さとの合計は前記第４の板材の前記第７の溝の延伸方向での長さよりも大きく、前記２つの第８の溝の底部から前記第５の板材の対向側までの長さは前記第４の板材の前記２つの第７の溝の延伸方向に平行である方向での長さよりも小さい請求項１に記載の家具。
【請求項６】
２つの接続端を有する接続棒を更に備え、
前記第１のスロットは少なくとも１つの円孔部を含み、前記円孔部に位置する前記第１のスロットは円弧内面を有し、且つ前記円孔部には前記２つの接続端の一方が挿入される請求項５に記載の家具。
【請求項７】
前記第５の板材は第４の弧状外縁を有し、且つ前記２つの第８の溝が前記第４の弧状外縁に形成される請求項５に記載の家具。
【請求項８】
２つの第７の溝を有する第４の板材と、
各々前記２つの第７の溝の一方及び前記２つの第３の溝の一方に挿入される２つの第８の溝を有する第５の板材と、
を備え、
前記第２の板材の前記２つの第４の溝は各々前記２つの第７の溝の他方及び前記２つの第３の溝の他方に挿入され、且つ前記第３の板材は各々前記第１のラグ及び前記第２のラグに接続される第３のラグ及び第４のラグを更に含み、前記第３のラグ及び前記第４のラグは各々前記２つの側板の前記２つの第２の溝に挿入される請求項１に記載の家具。
【請求項９】
２つの第９の溝を有し、且つ前記２つの側板の前記２つの第１のスロットに挿入され、且つ前記２つの第１のスロットの内縁は各々前記２つの第９の溝に挿入される第６の板材を更に備える請求項８に記載の家具。
【請求項１０】
前記側板の各々は、
前記第２の溝に近接する開孔を含む請求項１に記載の家具。